(57)【特許請求の範囲】
【請求項１】
所定のエリア内に建築された複数の建物にそれぞれ設けられ発電する発電手段と、
商品の種類及び数量を含む注文情報を入力する入力部が設けられ、前記複数の建物にそれぞれ設けられ、情報を受信して表示する表示手段と、
複数の前記発電手段から充電される蓄電部と、
商品を販売する店舗に設けられ、該商品の種類、数量、及び価格を含む商品情報を管理すると共に外部へ送信する管理手段と、
前記管理手段から商品情報を受信すると共に前記蓄電部への充電が行われた前記建物を識別し、識別された前記建物の前記表示手段へ商品情報を送信し、前記入力部で入力された注文情報を受信して前記管理手段に送信する集中管理部であって、前記建物ごとに前記蓄電部へ供給された電力量を累積すると共に金額に換算して前記表示手段へ送信し、前記入力部から注文情報を受信したとき、換算した金額から該注文情報の金額を引くと共に注文情報を前記管理手段へ送信する集中管理部と、
を有し、
前記集中管理部は、複数の前記入力部から受信した複数の注文情報の商品が同じで、且つ該商品の前記店舗における在庫数に対して注文数が上回る場合、累積された電力量が多い方の注文情報を優先して前記管理手段へ送信する商品情報表示システム。
【請求項２】
前記集中管理部は、換算で用いた電力の単価を前記表示手段に送信する請求項１に記載の商品情報表示システム。
【請求項３】
前記集中管理部は、前記建物から前記蓄電部へ供給された電力量の残量及び該残量を換算した金額を前記表示手段に送信する請求項１又は請求項２に記載の商品情報表示システム。
【請求項４】
前記管理手段は、前記店舗の商品の入庫、出庫を管理する入出庫管理システムに設けられている請求項１から請求項３のいずれか１項に記載の商品情報表示システム。
【請求項５】
前記建物には、車両の車載電池から供給された電力を前記蓄電部へ充電する充電部が設けられている請求項１から請求項４のいずれか１項に記載の商品情報表示システム。
【発明の詳細な説明】
【技術分野】
【０００１】
本発明は、商品情報表示システムに関する。
【背景技術】
【０００２】
特許文献１の商品情報提供システムは、商品陳列ケースと通信して商品ＩＣタグの読み取り情報を取得し、対応する商品の賞味期限と価格のデータを商品情報データベースで特定するデータ特定手段と、所定日時から賞味期限に至るまでの猶予期間を算定し所定基準値以下であれば所定の割引率を価格に乗じて割引価格を算定する価格算定手段と、商品ＩＤを含む商品情報リクエストを顧客端末より受信し、対応する割引価格データの検索を実行する価格検索手段と、顧客端末の位置情報を顧客情報データベースで特定し割引価格データを返信する価格通知手段と、を有している。
【０００３】
特許文献１の商品情報提供システムでは、データ特定手段が、商品陳列ケース内の商品の賞味期限と価格を特定する。そして、価格算定手段が所定日時から賞味期限に至るまでの猶予期間を算定して商品の割引価格を算定する。一方、価格検索手段が顧客端末から商品情報リクエストを受信し、対応する割引価格の商品があるか検索する。そして、価格通知手段が、顧客端末へ割引価格データを返信する。このようにして、特許文献１の商品情報提供システムは、店舗内の商品の割引価格や残数等の情報を、顧客ニーズに合わせて顧客宅に提供している。
【先行技術文献】
【特許文献】
【０００４】
【特許文献１】特開２０１０−６６９９２号公報
【発明の概要】
【発明が解決しようとする課題】
【０００５】
しかしながら、特許文献１では、店舗内の商品の数量及び価格情報（商品情報）を顧客に提供することのみが開示されており、蓄電部への電力供給の有無に基づいて商品情報を提供することについては開示されていなかった。
【０００６】
本発明は、蓄電部へ電力を供給した顧客に優先的に商品情報を提供することができると共に蓄電部へ供給される電力量を増加させることができる商品情報表示システムを得ることが目的である。
【課題を解決するための手段】
【０００７】
請求項１の発明に係る商品情報表示システムは、所定のエリア内に建築された複数の建物にそれぞれ設けられ発電する発電手段と、商品の種類及び数量を含む注文情報を入力する入力部が設けられ、前記複数の建物にそれぞれ設けられ、情報を受信して表示する表示手段と、複数の前記発電手段から充電される蓄電部と、商品を販売する店舗に設けられ、該商品の種類、数量、及び価格を含む商品情報を管理すると共に外部へ送信する管理手段と、前記管理手段から商品情報を受信すると共に前記蓄電部への充電が行われた前記建物を識別し、識別された前記建物の前記表示手段へ商品情報を送信し、前記入力部で入力された注文情報を受信して前記管理手段に送信する集中管理部であって、前記建物ごとに前記蓄電部へ供給された電力量を累積すると共に金額に換算して前記表示手段へ送信し、前記入力部から注文情報を受信したとき、換算した金額から該注文情報の金額を引くと共に注文情報を前記管理手段へ送信する集中管理部と、を有し、前記集中管理部は、複数の前記入力部から受信した複数の注文情報の商品が同じで、且つ該商品の前記店舗における在庫数に対して注文数が上回る場合、累積された電力量が多い方の注文情報を優先して前記管理手段へ送信する。
【０００８】
請求項１の発明に係る商品情報表示システムでは、集中管理部が、店舗の管理手段から送信された商品情報を受信すると共に蓄電部への充電を行った建物を識別する。そして、集中管理部は、識別された建物の表示手段へ商品情報を送信する。このように、集中管理部が管理する蓄電部へ電力を供給した建物を得意先として識別して商品情報を送信するので、蓄電部へ電力を供給した顧客に優先的に商品情報を提供することができる。
【００１０】
また、店舗から集中管理部を介して送信された商品情報が建物の表示手段に表示される。そして、建物の居住者は、表示された商品情報の中に購入したい商品があった場合、入力部で商品の種類及び数量を含む注文情報を入力する。一方、集中管理部は、入力部で入力された注文情報を受信して該注文情報を店舗の管理手段に送信する。そして、店舗の管理手段が、集中管理部から送信された注文情報を受信する。このように、表示手段を用いて商品の注文が行えるので、居住者が店舗に行かずに買い物をすることができる。
【００１２】
さらに、集中管理部が、建物ごとに蓄電部へ供給された電力量を累積すると共に、累積した電力量を金額に換算して表示手段に送信する。
【００１３】
ここで、建物の居住者が表示手段の入力部で商品の注文を行ったとき、集中管理部は、注文情報を受信すると共に換算した金額から注文情報の合計金額を引いて、注文情報を店舗の管理手段へ送信する。そして、店舗では、管理手段で注文情報が受信される。このように、蓄電部に供給された余剰電力を換金して使用可能となるので、建物で蓄電された余剰電力を用いて商品の売買を行うことができる。
【００１５】
加えて、蓄電部へ供給した電力量が多い建物からの注文が優先されるので、建物の居住者は、蓄電部へより多くの電力を供給しようとする。これにより、蓄電部へ供給される電力量を増加させることができる。
【００１６】
請求項２の発明に係る商品情報表示システムは、前記集中管理部は、換算で用いた電力の単価を前記表示手段に送信する。
【００１７】
請求項２の発明に係る商品情報表示システムでは、表示手段に電力の単価が表示されるので、建物の居住者は、蓄電部へ供給した電力の換金額を把握することができる。
【００１８】
請求項３の発明に係る商品情報表示システムは、前記集中管理部は、前記建物から前記蓄電部へ供給された電力量の残量及び該残量を換算した金額を前記表示手段に送信する。
【００１９】
請求項３の発明に係る商品情報表示システムでは、蓄電部へ供給された電力量の残量及び該残量の換金額が表示手段に表示されるので、建物の居住者は、蓄電部へ供給した電力の残量及び換金額を把握することができる。
【００２０】
請求項４の発明に係る商品情報表示システムは、前記管理手段は、前記店舗の商品の入庫、出庫を管理する入出庫管理システムに設けられている。
【００２１】
請求項４の発明に係る商品情報表示システムでは、店舗の商品の入庫、出庫を管理する入出庫管理システムに管理手段が設けられているので、管理手段と入出庫管理システムとを別々に設ける構成に比べて、商品情報及び発注、受注を一括管理することができる。
【００２２】
請求項５の発明に係る商品情報表示システムは、前記建物には、車両の車載電池から供給された電力を前記蓄電部へ充電する充電部が設けられている。
【００２３】
請求項５の発明に係る商品情報表示システムでは、車載電池の余剰電力が充電部を介して蓄電部に供給されるので、建物の余剰電力だけでなく車載電池の余剰電力も有効利用することができる。
【発明の効果】
【００２４】
以上説明したように、請求項１に記載の本発明に係る商品情報表示システムによれば、蓄電部へ電力を供給した顧客に優先的に商品情報を提供することができると共に蓄電部へ供給される電力量を増加させることができるという優れた効果を有する。
【００２８】
請求項２に記載の本発明に係る商品情報表示システムによれば、建物の居住者は、蓄電部へ供給した電力の換金額を把握することができるという優れた効果を有する。
【００２９】
請求項３に記載の本発明に係る商品情報表示システムによれば、建物の居住者は、蓄電部へ供給した電力の残量及び換金額を把握することができるという優れた効果を有する。
【００３０】
請求項４に記載の本発明に係る商品情報表示システムによれば、商品情報及び発注、受注を一括管理できるという優れた効果を有する。
【００３１】
請求項５に記載の本発明に係る商品情報表示システムによれば、建物の余剰電力だけでなく車載電池の余剰電力も有効利用することができるという優れた効果を有する。
【図面の簡単な説明】
【００３２】
【図１】本実施形態に係る商品情報表示システムの概略構成を示すブロック図である。
【図２】本実施形態に係る各住宅の管理装置の概略構成を示すブロック図である。
【図３】本実施形態に係る各住戸の表示端末を示す構成図である。
【図４】本実施形態に係るセンターサーバの概略構成を示すブロック図である。
【図５】本実施形態に係る店舗の概略構成を示すブロック図である。
【図６】本実施形態に係る店舗内の商品の管理状態を示す模式図である。
【図７】（Ａ）、（Ｂ）本実施形態に係る表示端末における商品情報の表示及び商品の注文設定状態を示す説明図である。
【図８】（Ａ）、（Ｂ）本実施形態に係る表示端末における蓄電量、単価、商品購入後の蓄電量の残量等の表示状態を示す説明図である。
【発明を実施するための形態】
【００３３】
本発明の実施形態に係る商品情報表示システムの一例について説明する。
【００３４】
図１に示すように、商品情報表示システム１０は、所定のエリア１１内に建築された複数の建物の一例としての住宅１２Ａ、１２Ｂ、１２Ｃにそれぞれ設けられ発電する発電手段の一例としての太陽光発電装置２０Ａ、２０Ｂ、２０Ｃと、住宅１２Ａ、１２Ｂ、１２Ｃにそれぞれ設けられた表示手段の一例としての表示端末３０Ａ、３０Ｂ、３０Ｃと、太陽光発電装置２０Ａ、２０Ｂ、２０Ｃから充電される蓄電部４０と、店舗５０に設けられ商品５４（図６参照）の後述する商品情報を管理すると共に外部へ送信する管理手段の一例としての管理装置６０と、管理装置６０から商品情報を受信すると共に表示端末３０Ａ、３０Ｂ、３０Ｃへ商品情報を送信する集中管理部の一例としてのセンターサーバ７０と、を有している。
【００３５】
また、商品情報表示システム１０では、住宅１２Ａ、１２Ｂ、１２Ｃに設けられ電力供給を制御する制御装置８０Ａ、８０Ｂ、８０Ｃと、蓄電部４０と、管理装置６０と、センターサーバ７０とが、インターネット等のネットワーク１４を介して接続されている。なお、住宅１２Ａと住宅１２Ｂ、１２Ｃとは基本的に同様の構成となっている。このため、以後の説明では、住宅１２Ａ、１２Ｂ、１２Ｃを区別する必要が無い場合に符号の英字Ａ、Ｂ、Ｃを省略して住宅１２として説明し、住宅１２Ａ、１２Ｂ、１２Ｃを区別する必要がある場合に符号の英字Ａ、Ｂ、Ｃを付与して説明する。これは、住宅１２内の各部の構成についても同様である。
【００３６】
次に、住宅１２の構成について説明する。
【００３７】
図２に示すように、住宅１２には、蓄電部４０への充電を行う充電部の一例としての分電盤１６と、電力を蓄える蓄電池１８と、電力消費機器１９と、太陽光発電装置２０と、表示端末３０と、制御装置８０とが設けられている。そして、住宅１２に引き込まれた系統電源（図示省略）が積算電力量計（図示省略）を介して分電盤１６に接続されている。
【００３８】
分電盤１６は、住宅１２に設けられた電力消費機器１９（例えば、エアコン、照明、冷蔵庫、パーソナルコンピュータ、テレビなどの電気機器を含む）に電力を供給すると共に、各電力消費機器１９で消費した消費電力を内蔵の電力計（図示省略）で測定し、得られた消費電力の測定結果を制御装置８０へ出力するようになっている。
【００３９】
また、分電盤１６には、接続プラグ及びケーブルで構成された受電部（図示省略）を介して車載電池２５が接続されている。車載電池２５は、一例として、車両２７の後部に設けられており、車両２７のボディに設けられた蓋（図示省略）を開放することで、接続プラグを接続可能となっている。
【００４０】
詳細には、蓄電池１８及び車載電池２５は、専用の充放電装置（図示省略）を介して分電盤１６に接続されている。この充放電装置は、直流電力を交流電力に変換するインバータ機能及び交流電力を直流電力に変換するコンバータ機能を備えている。そして、蓄電池１８及び車載電池２５から供給された電力は、分電盤１６によって蓄電部４０へ充電可能となっている。また、太陽光発電装置２０で発電された電力は、分電盤１６から蓄電池１８及び車載電池２５へ充電可能となっている。なお、発電手段は太陽光発電装置２０に限らず、図示したように分電盤１６に燃料電池２１（ＦＣ）、風力発電装置２３を接続して、燃料電池２１、風力発電装置２３の電力を使用してもよい。
【００４１】
図１に示すように、太陽光発電装置２０は、受光面を形成する複数の太陽光パネル２２で太陽光を受光することで受光量に応じた電力を発生（発電）するようになっている。なお、太陽光発電装置２０は自然エネルギーを用いた発電装置の一例であり、他の発電装置の例として、風力発電装置、水力発電装置等を用いてもよい。
【００４２】
図３に示すように、表示端末３０は、一例として、表示手段であるディスプレイ３２と、電源スイッチ３４と、後述する商品５４（図６参照）の種類及び数量を含む注文情報を入力する入力部３６と、スピーカ３８とを含んで構成されている。ディスプレイ３２は、一例として、ＬＣＤを用いたタッチパネル式とされており、後述する受信した商品情報及び電力情報等の各種の情報を表示すると共に、表示面に触れる（以下、「操作」という）ことで、ディスプレイ３２に表示されている項目に応じた各種の情報の入力操作が可能となっている。
【００４３】
入力部３６は、一例として、メニューボタン３６Ａと、テンキー３６Ｂと、決定キー（Ｅｎｔｅｒキー）３６Ｃと、カーソルキー３６Ｄと、を含んで構成されている。なお、メニューボタン３６Ａを押すことで表示されるメニュー画面（図示省略）では、ディスプレイ３２における入力操作と、入力部３６による入力操作とが切換え（選択）可能となっている。なお、ディスプレイ３２に表示される項目や商品注文時の手順などについて、スピーカ３８から音声による案内が行われるようになっている。
【００４４】
図２に示すように、表示端末３０は、制御装置８０の入出力ポート８４に接続されており、表示端末３０の表示設定あるいは居住者の入力に伴う注文処理が、制御装置８０により行われるようになっている。
【００４５】
制御装置８０は、住宅１２内に設けられた電力消費機器１９等への電力供給を制御するためのコンピュータを含んで構成されており、ＣＰＵ８１、ＲＯＭ８２、ＲＡＭ８３、入出力ポート８４を有している。そして、制御装置８０では、ＣＰＵ８１、ＲＯＭ８２、ＲＡＭ８３、入出力ポート８４が、アドレスバス、データバス、及び制御バス等のバス８５を介して接続されている。
【００４６】
入出力ポート８４には、各種の入出力機器として、既述の表示端末３０、ハードディスク（ＨＤＤ）８６、各種ディスク（図示省略）からの情報の読み出しを行うディスクドライブ８７が各々接続されていると共に、分電盤１６やネットワーク１４が接続されている。そして、制御装置８０では、分電盤１６を介して蓄電部４０へ供給された電力の電力量が測定されると共に、該電力量の情報がネットワーク１４を介してセンターサーバ７０に送信されるように設定されている。
【００４７】
次に、センターサーバ７０の構成について説明する。
【００４８】
図４に示すように、センターサーバ７０は、制御装置８０（図２参照）と同様にコンピュータを含んで構成されており、ＣＰＵ７１、ＲＯＭ７２、ＲＡＭ７３、入出力ポート７４を有している。そして、センターサーバ７０では、ＣＰＵ７１、ＲＯＭ７２、ＲＡＭ７３、入出力ポート７４が、アドレスバス、データバス、及び制御バス等のバス７５を介して接続されている。
【００４９】
入出力ポート７４には、各種の入出力機器として、ディスプレイ７６、マウス７７、キーボード７８、ハードディスク（ＨＤＤ）７９Ａ、各種ディスク（図示省略）からの情報の読み出しを行うディスクドライブ７９Ｂが各々接続されており、さらに、ネットワーク１４が接続されている。
【００５０】
センターサーバ７０は、蓄電部４０への充電を行った住宅１２を識別し、店舗５０の商品情報を住宅１２Ａ、１２Ｂ、１２Ｃ（図１参照）の制御装置８０Ａ、８０Ｂ、８０Ｃを介して表示端末３０Ａ、３０Ｂ、３０Ｃに送信する構成となっている。また、センターサーバ７０は、表示端末３０Ａ、３０Ｂ、３０Ｃで入力された注文情報を制御装置８０Ａ、８０Ｂ、８０Ｃを介して受信して店舗５０へ送信する構成となっている。即ち、センターサーバ７０は、後述する店舗５０（図１参照）の入出力ポート６４から商品情報を受信すると共に蓄電部４０への充電が行われた住宅１２を識別し、識別された住宅１２の表示端末３０（図２参照）へ商品情報を送信するようになっている。なお、住宅１２の識別は、センターサーバ７０が、住宅１２の制御装置８０内に設けられた通信アダプタ（図示省略）に設定されたアドレス情報を取得することで行われる。
【００５１】
また、センターサーバ７０は、住宅１２Ａ、１２Ｂ、１２Ｃ（図１参照）ごとに蓄電部４０へ供給された（充電された）電力量を累積すると共に、１ｋＷ＝Ｘ円（Ｘ円は時価のため、変動する）という単価に基づいてこの累積電力を金額に換算して、表示端末３０（図２参照）へ送信する構成となっている。さらに、センターサーバ７０は、入出力ポート７４で注文情報を受信したとき、換算された金額から該注文情報の金額を引くと共に注文情報を後述の管理装置６０（図５参照）へ送信する構成となっている。
【００５２】
加えて、センターサーバ７０は、複数の入力部３６（図３参照）から複数の制御装置８０を介して受信した複数の注文情報の商品５４（図６参照）が、同じ種類で、且つ該商品５４の店舗５０における在庫数に対して注文数が上回る場合、累積された電力量が多い方の注文情報を優先して管理装置６０（図３参照）へ送信する構成となっている。
【００５３】
また、センターサーバ７０は、換算で用いた電力の単価（既述の１ｋＷ＝Ｘ円）、住宅１２から蓄電部４０へ供給された電力量の残量、及び該残量を換算した金額を、制御装置８０を介して、住宅１２の表示端末３０（図２参照）に送信する（表示させる）構成となっている。
【００５４】
次に、店舗５０の構成について説明する。
【００５５】
図１に示すように、店舗５０は、複数種類、複数個の商品５４（図６参照）を保管する倉庫５２と、複数の商品５４（図６参照）の入庫、出庫、及び商品情報を管理する管理手段の一例としての管理装置６０と、を有している。
【００５６】
図５に示すように、管理装置６０は、商品５４の入出庫管理システムの一例としてのＰＯＳ（Point Of Sales）システム９０の一部に設けられて（含められて）いる。また、管理装置６０は、コンピュータを含んで構成されており、ＣＰＵ６１、ＲＯＭ６２、ＲＡＭ６３、入出力ポート６４を有している。そして、管理装置６０では、ＣＰＵ６１、ＲＯＭ６２、ＲＡＭ６３、及び入出力ポート６４が、アドレスバス、データバス、及び制御バス等のバス６５を介して接続されている。なお、入出力ポート６４は、後述する商品情報の店舗５０の外部への送信、及び住宅１２からの注文情報の受信に用いられる。商品の販売情報を記録し、集計結果を在庫管理に役立てているＰＯＳシステム９０の中で管理装置６０は在庫管理の部分を中心に管理しており、商品５４の入出庫、在庫管理がその主たる役割である。
【００５７】
入出力ポート６４には、各種の入出力機器として、バーコードリーダ５８、ディスプレイ６６、マウス６７、キーボード６８、ハードディスク（ＨＤＤ）６９Ａ、各種ディスク（図示省略）からの情報の読み出しを行うディスクドライブ６９Ｂが各々接続されており、さらに、ネットワーク１４が接続されている。そして、ＨＤＤ６９Ａには、倉庫５２（図６参照）内の複数の商品５４の情報（商品情報）が記憶されている。
【００５８】
図６に示すように、倉庫５２内の複数の商品５４は、各商品５４に貼り付けられたバーコード５６をバーコードリーダ５８（図５参照）で読み取ることにより管理されている。一例として、複数の商品５４は、複数の商品Ａ、複数の商品Ｂ、複数の商品Ｃを含んでいる。ここで、商品５４の商品情報とは、商品の種類、数量、及び価格を含んでおり、他に、倉庫５２への入庫日や出庫日、入庫期間、製造元、産地なども含んでいる。
【００５９】
次に、本実施形態の作用について説明する。
【００６０】
図１に示す商品情報表示システム１０において、住宅１２Ａ、１２Ｂ、１２Ｃでは、太陽光発電装置２０Ａ、２０Ｂ、２０Ｃにより発電が行われる。そして、住宅１２Ａ、１２Ｂ、１２Ｃでは、発電により得られた電力のうち、一部が電力消費機器１９Ａ、１９Ｂ、１９Ｃで消費され、残った余剰電力が蓄電池１８Ａ、１８Ｂ、１８Ｃに充電される。また、住宅１２Ａ、１２Ｂ、１２Ｃでは、それぞれの車両２７の車載電池２５（図２参照）から供給された余剰電力が、分電盤１６Ａ、１６Ｂ、１６Ｃを介して蓄電池１８Ａ、１８Ｂ、１８Ｃに充電される。
【００６１】
続いて、住宅１２Ａ、１２Ｂ、１２Ｃの居住者が表示端末３０Ａ、３０Ｂ、３０Ｃを操作することにより、蓄電池１８Ａ、１８Ｂ、１８Ｃから蓄電部４０へ電力が供給される。このとき、蓄電部４０では、住宅１２Ａ、１２Ｂ、１２Ｃから供給された電力が電力計（図示省略）により測定される。そして、センターサーバ７０は、住宅１２Ａから供給された電力量ＰＡ、住宅１２Ｂから供給された電力量ＰＢ、及び住宅１２Ｃから供給された電力量ＰＣの各情報（データ）を蓄電部４０から受信して記憶する。なお、電力量ＰＡ、ＰＢ、ＰＣの図示は省略する。
【００６２】
一方、店舗５０では、倉庫５２内の複数の商品５４（図６参照）の入庫、出庫、及び商品情報がＰＯＳシステム９０内の管理装置６０により管理されている。そして、センターサーバ７０は、管理装置６０から複数の商品５４の商品情報を受信すると共に、制御装置８０Ａ、８０Ｂ、８０Ｃを介して、住宅１２Ａ、１２Ｂ、１２Ｃの表示端末３０Ａ、３０Ｂ、３０Ｃに商品情報を送信する。これにより、居住者は、店舗５０内の商品情報を得られる。なお、表示端末３０Ａ、３０Ｂ、３０Ｃにおける商品情報の表示は、居住者が商品情報の表示を入力部３６（図３参照）で選択した場合に行われる。
【００６３】
ここで、一例として、住宅１２Ａの居住者が表示端末３０のメニューボタン３６Ａ（図３参照）を押して、「現在の蓄電量」の頁を選択したとき、図８（Ａ）に示すように、ディスプレイ３２には、「現在の蓄電量」、「（電力の）単価」、及び「換金可能額」が表示される。これにより、居住者は、いくらの商品まで購入できるかを認識することができる。また、居住者は、現在の単価（時価）を見て、換金が妥当かどうかを判断可能となる。なお、ディスプレイ３２の左下には、表示内容を切り換えるための頁切り換えボタン３２Ａが表示されている。
【００６４】
続いて、居住者が店舗５０の商品を購入するとき、図７（Ａ）に示すように、商品情報の頁を選択することで、ディスプレイ３２に商品情報が表示される。この商品情報は、店舗５０における複数の商品５４の入出庫に合わせて逐次変更される。なお、一例として、ディスプレイ３２の左側から右側へ向けて、商品の種類、購入の有無、商品の単価、数量、小計が表示されており、小計の下側には合計金額が表示されている。また、頁切り換えボタン３２Ａと合計金額の表示欄との間のスペースには、入力情報を設定（決定）するための決定ボタン３２Ｂが表示されている。
【００６５】
続いて、居住者がディスプレイ３２を指で触れて購入欄をチェック（選択）すると、白四角が黒四角となり、小計欄が表示される。ここでは一例として、商品Ａが選択されたものとする。そして、居住者は、カーソルキー３６Ｄ（図３参照）を用いて数量欄にカーソル（図示省略）を合わせ、テンキー３６Ｂ（図３参照）を用いて数量欄に希望数量を入力する。これにより、小計欄及び合計欄には、単価×数量の金額が表示される。なお、購入しない（購入が選択されていない）商品Ｂ、Ｃについては、小計欄が入力不可状態（図示の網がけ状態）となっており、数量欄には、一例として、店舗５０の在庫数が表示されている。
【００６６】
続いて、居住者が決定ボタン３２Ｂを押すと、図１に示すように、商品Ａの注文情報（住宅１２Ａから商品Ａがいくつ注文されたかの情報）が、制御装置８０及びネットワーク１４を介してセンターサーバ７０に送信される。そして、図８（Ｂ）に示すように、表示端末３０のディスプレイ３２には、制御装置８０により、商品Ａの購入前の蓄電量（棒グラフ含む）及び金額と、購入後の蓄電量（棒グラフ含む）及び金額とが表示され、次回、使用可能な金額が居住者に報知される。
【００６７】
一方、図１に示すように、センターサーバ７０は、住宅１２Ａから注文情報を受信して、該注文情報を店舗５０の管理装置６０に送信する。このとき、センターサーバ７０は、住宅１２Ａの蓄電部４０への蓄電量を換算した金額から注文情報の合計金額を引いて、注文情報を店舗５０の管理装置６０へ送信する。そして、店舗５０では、管理装置６０がセンターサーバ７０から送信された注文情報を受信する。このようにして、商品情報の表示、発注、受注が行われる。
【００６８】
また、注文時の他の例として、住宅１２Ａ及び住宅１２Ｂから商品Ａの注文がほぼ同時に行われ、且つ住宅１２Ａからの注文数と住宅１２Ｂからの注文数との合計数が店舗５０の商品Ａの在庫数を超えるとき、センターサーバ７０は、蓄電部４０へ供給した（蓄電した）電力量が多い住宅（ここでは住宅１２Ａとする）からの注文を優先して受け付ける。そして、センターサーバ７０は、蓄電部４０への電力供給量が少ない方の住宅１２Ｂの表示端末３０Ｂ（図３参照）に、注文不可の情報を送信する。これにより、蓄電部４０への電力供給量が少ない方の住宅１２Ｂでは、図７（Ｂ）に示すように、商品Ａの数量を入力して決定ボタン３２Ｂを押したとき、一例として、商品Ａの欄に「商品Ａは売り切れました。」というメッセージが表示され、注文不可状態であることが報知される。なお、商品Ｂ、Ｃについては、在庫がある場合、注文可能である。
【００６９】
以上説明したように、商品情報表示システム１０では、センターサーバ７０が、店舗５０の管理装置６０から送信された商品情報を受信すると共に、蓄電部４０への充電を行った住宅１２を識別する。そして、センターサーバ７０は、識別された住宅１２の表示端末３０へ商品情報を送信する。このように、センターサーバ７０が管理する蓄電部４０へ電力を供給した住宅１２を得意先として識別して商品情報を送信するので、蓄電部４０へ電力を供給した顧客に優先的に商品情報を提供することができる。
【００７０】
また、商品情報表示システム１０では、店舗５０からセンターサーバ７０を介して送信された商品情報が住宅１２の表示端末３０に表示される。そして、住宅１２の居住者は、表示された商品情報の中に購入したい商品５４があった場合、入力部３６で商品５４の種類及び数量を含む注文情報を入力する。一方、センターサーバ７０は、入力部３６で入力された注文情報を受信して該注文情報を店舗５０の管理装置６０に送信する。そして、管理装置６０が、センターサーバ７０から送信された注文情報を受信する。このように、表示端末３０を用いて複数の商品５４の注文が行えるので、居住者が店舗５０に行かずに買い物をすることができる。
【００７１】
さらに、商品情報表示システム１０では、センターサーバ７０が、住宅１２ごとに蓄電部４０へ供給された電力量を累積すると共に、累積した電力量を金額に換算して表示端末３０に表示させる。
【００７２】
ここで、住宅１２の居住者が入力部３６で商品５４の注文を行ったとき、センターサーバ７０は、注文情報を受信すると共に換算した金額から注文情報の合計金額を引いて、注文情報を店舗５０の管理装置６０へ送信する。そして、店舗５０では、管理装置６０で注文情報が受信される。このように、蓄電部４０に供給された余剰電力を換金して使用可能となるので、住宅１２で蓄電された余剰電力を用いて複数の商品５４の売買を行うことができる。
【００７３】
加えて、商品情報表示システム１０では、蓄電部４０へ供給した電力量が多い住宅１２からの注文が優先されるので、住宅１２の居住者は、蓄電部４０へ、より多くの電力を供給しようとする。これにより、蓄電部４０へ供給される電力量を増加させることができる。
【００７４】
また、商品情報表示システム１０では、表示端末３０に電力の単価が表示されるので、住宅１２の居住者は、蓄電部４０へ供給した電力の換金額を把握することができる。そして、蓄電部４０へ供給された電力量の残量及び該残量の換金額が表示端末３０に表示されるので、住宅１２の居住者は、蓄電部４０へ供給した電力の残量及び換金額を把握することができる。
【００７５】
さらに、商品情報表示システム１０では、店舗５０の複数の商品５４の入庫、出庫を管理するＰＯＳシステム９０に管理装置６０が設けられているので、管理装置６０とＰＯＳシステム９０とを別々に設ける構成に比べて、複数の商品５４の商品情報の提供、及び複数の商品５４の発注、受注を一括管理することができる。
【００７６】
加えて、商品情報表示システム１０では、車載電池２５の余剰電力が分電盤１６を介して蓄電部４０に供給されるので、住宅１２の余剰電力だけでなく車載電池２５の余剰電力も有効利用することができる。
【００７７】
なお、本発明は上記の実施形態に限定されない。
【００７８】
店舗５０は１つに限らず、複数の店舗の商品情報等をセンターサーバ７０で管理してもよい。また、店舗５０における複数の商品５４の管理は、バーコード５６を用いた管理に限らず、ＩＣタグとＩＣタグリーダを用いた管理であってもよい。さらに、管理装置６０がＰＯＳシステム９０とは別に設置されていてもよい。
【００７９】
住宅１２は、３軒に限らず、２軒又は４軒以上あってもよい。また、住宅１２において、発電手段の他の例として既述のように風力発電装置２３を設けてもよく、燃料電池２１を設けてもよい。さらに、本実施形態の表示端末３０は、住宅１２の壁に設置可能な構成となっていたが、表示端末がパーソナルコンピュータであってもよい。
【００８０】
本実施形態では、通常の発注、受注が行われる通常時について説明したが、例えば、地震等の災害が発生した非常時（又は停電時）において、住宅１２の居住者（住民）に物品の情報を知らせる必要性がある場合は、センターサーバ７０が、蓄電部４０への電力供給量に関わらず、複数の住宅１２の表示端末３０に店舗５０の商品５４の在庫状況を送信するようにしてもよい。この場合、表示端末３０に表示される商品情報を、食料、飲料等の災害時必需品から優先的に表示させるように設定しておくとよい。
【００８１】
表示端末３０への商品情報の表示は、蓄電部４０へ供給した累積電力を換算した金額を超える商品５４については非表示とし、購入可能な商品５４のみを表示するようにしてもよい。
【符号の説明】
【００８２】
１０  商品情報表示システム
１１  エリア
１２  住宅（建物の一例）
１６  分電盤（充電部の一例）
２０  太陽光発電装置（発電手段の一例）
２５  車載電池
２７  車両
３０  表示端末（表示手段の一例）
３６  入力部
４０  蓄電部
５０  店舗
５４  商品
６０  管理装置（管理手段の一例）
７０  センターサーバ（集中管理部の一例）
９０  ＰＯＳシステム（入出庫管理システム）
【図１】
0005991845.tif 000002
【図２】
0005991845.tif 000003
【図３】
0005991845.tif 000004
【図４】
0005991845.tif 000005
【図５】
0005991845.tif 000006
【図６】
0005991845.tif 000007
【図７】
0005991845.tif 000008
【図８】
0005991845.tif 000009